(57)【特許請求の範囲】
【請求項１】
除湿運転時に加熱する熱交換器部分と冷却する熱交換器部分とを有する室内熱交換器を備え、少なくとも除湿運転モードを備えた空気調和機において、
該除湿運転モードとして、所定の設定湿度の第１の除湿運転モードと、該所定の設定湿度よりも低い設定湿度の第２の除湿運転モードと、該所定の設定湿度よりも高い設定湿度の第３の除湿運転モードとを設定可能とする除湿ボタンを設け、
運転停止状態からの該除湿ボタンの操作による除湿運転モードの開始では、該第１の除湿運転モードが初期設定され、該除湿ボタンの操作毎に、初期設定された該第１の除湿運転モードから該第２の除湿運転モード，第３の除湿運転モード，該第１の除湿運転モードの順にサイクリックに切り替え設定可能に構成したことを特徴とする空気調和機。
【発明の詳細な説明】
【０００１】
【発明の属する技術分野】
本発明は、湿度調節機能を有する空気調和機に関する。
【０００２】
【従来の技術】
従来、除湿運転が可能な空気調和機としては、室内機の風量を抑えた冷房運転を行なう方式（簡易方式）や、室内熱交換器を冷却器と加熱器に分け、あるいは室内熱交換器の下流に電気ヒータを設けて吹き出し空気の湿度と温度を同時に調節する方式（再熱方式）などが知られている。
【０００３】
また、制御方法としては、例えば特開昭６１−５９１３４号公報に開示されるように、室内温度検出手段と室内湿度検出手段とを用い、温度設定手段で任意に設定された温度に制御する自動運転制御方法があるが、このうちの室内湿度検出手段からの検出情報は、除湿運転のＯＮ／ＯＦＦに使用されるのみであった。
【０００４】
これに対し、特開平８ー８６４９４号公報には、空気調和機を種々の用途に使用することができるようにするために、種々の除湿運転モードを選択できるようにした技術が開示されている。この用途とは、室内で洗濯物を乾かすことができるようなカラッと乾燥したような状態にする除湿運転モード（これを、以下、「ランドリ」モードという）や、外出中に室内を乾燥させてダニやカビの発生を防止することができるようにした除湿運転モード（これを、以下、「おでかけ」モードという），例えば、冬の時期などで窓や壁に付く結露を除くことができるようにした運転モード（以下、これを「結露抑制」モードという）である。
【０００５】
ここで、「ランドリ」モードは圧縮機を連続運転するとともに、室内フアンの風速を強くするものであって、湿度ができるかぎり低くなるようにするものであり、「おでかけ」モードは湿度を「標準」モードと同様にして、かつ室内フアンの風速を弱くするものである。また、「結露抑制」モードは圧縮機を連続運転するとともに、室内フアンの風速を弱くするものである。
【０００６】
【発明が解決しようとする課題】
従来の空気調和機では、通常、上記の特開昭６１ー５９１３４号公報に記載のように、温度設定は任意に行なえるが、使用者の湿度の設定を任意に行なえるものではなかった。これは、一般に、空気調和機、特に、小型の空気調和機においては、風量を抑えた冷房運転などの簡易的な除湿機能が多く、充分な除湿性能が得られなかったために、正確な湿度制御ができなかったのである。
【０００７】
また、上記の特開平８ー８６４９４号公報に記載の空気調和機では、種々の除湿運転モードの選択設定が可能であり、通常使用する除湿能力（これを、以下、「標準」除湿能力という、例えば、湿度を５０％とする除湿能力である）での除湿運転モード（これを、以下、「標準」モードという）で得られる湿度（この場合、５０％）よりも低い湿度に設定されるものであるが、上記の「ランドリ」モードや「おでかけ」モード，「結露抑制」モードというように、空気調和機を特殊なようとに使用できるようにするものであり、このようなモードで空気調和機が除湿運転を行なっている環境では、使用者が快適に過ごせるものではない。
【０００８】
一方、再熱方式の採用などに伴なって充分な除湿量が得られるようになってくるとともに、快適性へのニーズの高まりから、使用者の希望に応じたより正確できめ細かな湿度制御が求められるようになってきた。
【０００９】
本発明の目的は、かかるニーズに応えるために、温度調節とともに、湿度も使用者の好みに応じて調節でき、より快適な空調環境を形成することができるようにした空気調和機を提供することにある。
【００１０】
【課題を解決するための手段】
上記目的を達成するために、本発明は、除湿運転モードの除湿能力として、「標準」除湿能力と該「標準」除湿能力よりも湿度を低くする「強力」除湿能力とを、さらに加えて、該「標準」除湿能力よりも湿度を高くする「おさえめ」除湿能力とを有し、「標準」除湿能力，「強力」除湿能力，「おさえめ」除湿能力の順にサイクリックに切り替え設定可能とする手段を設ける。
【００１１】
かかる除湿能力は１つの操作手段で適宜任意に選択設定することができるし、除湿運転の開始では「標準」除湿能力が自動的に設定され、除湿運転の開始後では、かかる操作手段を操作することにより、任意の除湿能力を選択設定することができる。
【００１３】
【発明の実施の形態】
以下、本発明の実施形態を図面を用いて説明する。
図１は本発明による空気調和機の一実施形態とその操作装置を示す構成図であって、１は空気調和機本体、２はリモートコントローラ（操作装置：以下、リモコンという）、３はマイクロコンピュータ（以下、マイコンという）、４は受信回路、５は室温検出器、６は湿度検出器、７は室内フアンモータ、８は室外フアンモータ、９は圧縮機、１０はＣＰＵ（中央処理ユニット）、１１は記憶部、１２は電源、１３はマイコン、１４は除湿ボタン、１５は運転／停止ボタン、１６はタイマボタン、１７は表示部、１８は送信回路、１９は電池、２０はＣＰＵ、２１は記憶部である。
【００１４】
同図において、空気調和機本体１は、空気調和機の各種制御を行なうマイコン３を中枢とし、リモコン２からの信号を受信する受信回路４や室内温度を検出する室温検出器５，室内湿度を検出する湿度検出器６，室内ファンモータ７，室外ファンモータ８，圧縮機９などから構成されており、電源１２から電力が供給される。
【００１５】
マイコン３は、ＣＰＵ１０と、リモコン２によって設定される温度や湿度，風速，運転時間などの情報を記憶する記憶部１１とを含んでいる。また、湿度検出器６としては、湿度センサあるいは空気温度と熱交換器の温度とから所定の計算式に従って湿度を割り出す方式など、いずれの方式のものであってもよい。
【００１６】
リモコン２は、制御用のマイコン１３を中枢とし、除湿運転モードを選択するための除湿ボタン１４と、運転あるいはその停止を行なわせるための運転／停止ボタン１５と、使用者の希望により設定時間を変更できるようにするタイマボタン１６と、その設定内容を表示する表示部１７と、空気調和機本体１に信号を送る送信回路１８と、リモコン２自身にに電力を供給する電池１９とからなる。
【００１７】
マイコン１３は、ＣＰＵ２０と、予め設定された運転モード情報を記憶する記憶部２１とからなっている。
【００１８】
なお、通常設けられている冷房や暖房運転を設定するための運転モードボタンや、温度設定のためのボタンなどは省略している。
【００１９】
また、この実施形態としては、冷房，暖房，除湿の各運転が可能なものであってもよいし、冷房運転と除湿運転だけが可能なものであってもよい。さらには、これら運転に加えて、加湿や換気機能を有するものであってもよく、運転や機能については限定されるものではない。
【００２０】
ここで、除湿機能としては、湿度制御を可能にするために、充分な除湿量が確保できるような除湿能力が必要である。また、空気調和機本体１からの吹き出し空気の温度を調節できる再熱方式の除湿機能が望ましい。勿論、簡易方式のものであっても、他の手段によって室温制御ができれば、それでもよい。
【００２１】
なお、冷房運転及び暖房運転については、通常の空気調和機と同様に行なわれるので、ここでは、それらの説明を省略する。
【００２２】
リモコン２の除湿ボタン１４を押すことにより、除湿運転が開始する。ここでは、説明を簡明にするために、専用の除湿ボタン１４を設けているが、他の操作ボタンと兼用させることもできる。
【００２３】
ここで、この除湿ボタン１４には、２つの機能がある。その１つは、除湿運転を開始させる機能であり、他の１つは、除湿能力を切り換える機能である。運転停止中に除湿ボタン１４を押すと、特定の除湿能力（ここでは、設定湿度を、例えば、５０％にする「標準」除湿能力とする）で除湿運転が開始し、この除湿運転開始後、この除湿ボタン１４を押す毎に、設定湿度を、例えば、４０％にする「強力」除湿能力，設定湿度を、例えば、６０％にする「おさえめ」除湿能力，「標準」除湿能力の順に除湿能力がサイクリックに切り換わる。
【００２４】
かかる操作による除湿能力の設定は、次のようにして行なわれる。
即ち、リモコン２において、除湿ボタン１４が押されると、マイコン１３での記憶部２１に記憶されているデータであるその直前の設定湿度などを勘案して、マイコン１３のＣＰＵ２０で設定湿度が求められ、これに対する除湿能力を表わすデータが表示部１７で表示されるとともに、その設定湿度の情報が送信回路１８から空気調和機本体１に送信される。空気調和機本体１では、この情報が受信回路４で受信され、マイコン３のＣＰＵ１０が、湿度検出器６により室内の湿度を確認しながら、この受信情報による設定湿度に応じた除湿能力で除湿運転を行なわせる。
【００２５】
このとき、室内温度については、別の手段で設定するか、あるいは空気調和機本体１でのマイコン３またはリモコン２のマイコン１３が、周囲の環境条件と設定湿度とから適切な設定温度を自動的に演算して求める。
【００２６】
このようにして、空気調和機本体１では、温度とともに、湿度の多段階切換えも可能となり、これら設定湿度と設定温度とに応じた除湿能力の除湿運転を行なう。
【００２７】
なお、運転／停止ボタン１５は、暖房，冷房運転など除湿運転以外の運転を開始させる場合と、全ての運転を停止させる場合とに使用される。除湿運転を開始させたい場合には、除湿ボタン１４を押し、除湿運転を停止させたい場合には、運転／停止ボタン１５を押す。
【００２８】
図２は図１におけるリモコン２の操作部及び表示部１７が設けられた前面部を示す外観図であって、図１に対応する部分には同一符号を付けている。
【００２９】
同図において、除湿ボタン１４はリモコン２の前面に設けられており、ここでは、これに「除湿」と表記しているものとする。
【００３０】
また、表示部１７には、ここで表示される全ての表示内容を示すものであり、実際には、これらのうちの、そのときの運転モードに対応したものだけが表示される。
【００３１】
表示部１７での右上部分に示す「標準」，「強力」，「おさえめ」の表示内容が、除湿運転時に除湿ボタン１４の操作によって設定される除湿能力を表わしている。除湿運転の開始のために除湿ボタン１４を押すと、表示部１７では、その右上部分に示す「除湿」が表示されて除湿運転が開始されるとともに、上記のように、このとき設定される除湿能力は「標準」除湿能力であるから、表示部１７の右上部分に「標準」が表示される。かかる除湿運転中、除湿ボタン１４を押す毎に、上記のように除湿能力が切り換わり、これに伴って、「強力」，「おさえめ」，「標準」の順にかつサイクリックに除湿能力の表示が変更される。
【００３２】
図３はかかる除湿運転動作を示すフローチャートであり、また、図４はかかる動作での表示部１７での表示例を示す図である。
【００３３】
図３において、いま、空気調和機本体１（図１）が停止状態にあって、リモコン２（図２）の除湿ボタン１４を押すと（ステップ１００）、除湿運転が開始し（ステップ１０１）、「標準」の除湿が設定されてリモコン２の表示部１７に、図４（ａ）に示すように、この設定された除湿を示す「標準」という文字が表示される。かかる状態は、運転／停止ボタン１５が押されない限り続き（ステップ１０３）、また、除湿ボタン１４が押されない限り続く（ステップ１０４）。
【００３４】
その後、除湿ボタン１４が押されると（ステップ１０４）、設定除湿が「強力」に移行し、リモコン２の表示部１７に、図４（ｂ）に示すように、この切り換わった設定除湿を示す「強力」という文字が表示される（ステップ１０５）。かかる状態は、運転／停止ボタン１５が押されない限り続き（ステップ１０６）、また、除湿ボタン１４が押されない限り続く（ステップ１０７）。
【００３５】
その後、除湿ボタン１４が再度押されると（ステップ１０７）、設定除湿が「おさえめ」に移り、リモコン２の表示部１７に、図４（ｃ）に示すように、この切り換わった設定除湿を示す「おさえめ」という文字が表示される（ステップ１０８）。かかる状態は、運転／停止ボタン１５が押されない限り続き（ステップ１０９）、また、除湿ボタン１４が押されない限り続く（ステップ１１０）。
【００３６】
そして、その後、除湿ボタン１４が再び押されると（ステップ１１０）、設定除湿が「標準」に移り、リモコン２の表示部１７に、図４（ａ）に示すように、この切り換わった設定除湿を示す「標準」という文字が表示される（ステップ１０２）。
【００３７】
以下、同様にして、除湿運転が続いている限り、除湿ボタン１４が押される毎に、設定除湿が「標準」，「強力」，「おさえめ」の順にかつサイクリックに移行する。
【００３８】
このようにして、この実施形態では、夫々の湿度設定が可能であるから、除湿運転の開始では、除湿能力が設定湿度を５０％とする「標準」とするが、この「標準」除湿能力の除湿運転では、例えば、室内に人が多く居たり、人が動き廻るなどして湿度が高く感じられて、快適性が損なわれている場合、あるいはかかる除湿運転のまま外出して帰宅し、汗ばんだ感じがするような場合など除湿不足を感じたときには、除湿スイッチ１４を押すことにより、除湿能力が「強力」に切り換わり、設定湿度を４０％とする除湿運転に移行し、また、「標準」除湿能力の除湿運転していると、室内が乾燥し過ぎるように感じる場合、あるいは長時間除湿運転をするときに電力の消費量を低減したい場合などでは、除湿スイッチ１４を２回押すことにより、除湿能力が「おさえめ」に切り換わり、設定湿度を６０％とする除湿運転に移行し、使用者の好みに応じて除湿能力を使い分けることができる。
【００３９】
このように、除湿ボタン１４の操作によって設定湿度（除湿能力）を切換え変更することができるが、勿論、この設定湿度の変更順序はこれに限るものではない。さらに、除湿能力の表現も、上記のような「標準」，「強力」，「おさえめ」に限るものではなく、他の表現、例えば設定湿度の値、即ち、「標準」を「５０％」と、「強力」を「４０％」と、「おさえめ」を「６０％」という具合に表現してもよい。
【００４０】
使用される地域が比較的高温多湿にならない場合には、「標準」と「おさえめ」との組み合わせとすれば、選択操作の単純化及び誤選択による必要以上の除湿運転を防止して電力の無駄使いを防止することができる。
【００４１】
図５は上記の除湿運転と通常冷房運転での室内の温度分布を示す図であって、同図（ａ）は「標準」除湿能力での除湿運転のときを、また、同図（ｂ）は通常冷房運転のときを夫々示すものであり、いずれも設定温度を自動的にもしくは別の手段により２８℃とした場合である。
【００４２】
図５（ａ），（ｂ）を比較して明らかなように、除湿運転の場合には、空気調和機本体の吹き出し口から吹き出される空気の流れの部分では、設定温度に対してわずかに１℃低い２７℃となっているが、全体として設定温度２８℃になっているが、通常冷房運転の場合には、空気調和機本体の吹き出し口から吹き出される冷たくて重い空気が床の方に流れ、この床部分と上方の部分とで大きな温度差が生ずることがわかる。このため、人は足元が冷えたように感じ、快適性が損なわれることになる。
【００４３】
勿論、夏の時期のように、気温が充分高いときには、冷房運転によって室内を適度に冷すことができ、これによって快適な室内環境が得られるが、それ以外の場合には、除湿運転の方が快適な室内環境が得られる。
【００４４】
なお、上記の除湿運転での各除湿能力「標準」，「強力」，「おさえめ」は、冷凍サイクルを形成する圧縮機の回転数や運転率（単位時間当りの圧縮機の運転時間の割合）を異ならせることにより、夫々設定する。
【００４５】
図６は本発明による空気調和機の第２の実施形態の除湿運転モードを示す図であって、この第２の実施形態でも、図１と同様の構成をなしている。
【００４６】
同図において、この実施形態での除湿運転モードは、先の第１の実施形態での除湿能力の違いによるモードに加え、空気調和機の用途の違いとして区分されるモード、即ち、「ランドリ」，「おでかけ」，「結路抑制」の３つのモードを付加したものであり、除湿ボタン１４（図１）を押す毎に、６つのモードが矢印方向に切り換わるものである。これ以外は、先に説明した第１の実施形態と同様である。
【００４７】
かかるようとによる除湿運転モードは、図７に示すように、使用者のニーズの調査の結果に基づくものである。即ち、「ランドリ」モードは、空気調和機の除湿機能により、室内で洗濯物を乾燥させるようにしたいという使用者のニーズを満足させるものであり、また、「おでかけ」モードは、外出中も室内を乾燥させてダニやカビの繁殖を抑えたいという使用者のニーズを満足させるものであり、「結露抑制」モードは、冬の時期などで窓ガラスなどに生ずる結露を防止したいという使用者のニーズを満足させるものである。
【００４８】
図８はかかるようとによる除湿運転モードでの条件を示す図である。
【００４９】
同図において、「標準」モードは、先の運転開始とともに設定される「標準」除湿能力での除湿運転モードであって、上記のように、設定湿度は５０％であり、設定温度は運転開始時の室温、室内フアンの風速を弱として、他のモードに切り換えられない限り、また、運転停止とならない限り、このモードが継続する。「強力」，「おさえめ」の各除湿能力の除湿運転についても、上記の設定湿度や室内フアンの風速を異ならせるだけで、「標準」除湿能力での除湿運転モードと同様である。
【００５０】
「ランドリ」モードは、設定温度を運転開始時の室温とするが、圧縮機を連続回転させて湿度を可能な限り低くなるようにし、室内フアンの風速も強とする。このモードの運転時間は、洗濯物の乾燥時間などを考慮して、ここでは、３時間と有限にしている。この運転時間が経過すると、除湿運転を停止させる。
【００５１】
「おでかけ」モードは、設定温度をほぼ５０％ととし、設定温度は外気温度とする。また、室内フアンの風速を弱とし、他のモードに切り換えられない限り、また、運転停止とならない限り、このモードが継続する。
【００５２】
「結露抑制」モードは、温度を無視して圧縮機を連続回転させ、湿度を可能な限り低くなるようにし、室内フアンの風速を弱とする。このモードの運転時間は、結露がなくなる時間や、いつまでも運転を継続すると、冷された状態が続くことなどを考慮して、ここでは、２時間と有限にしている。このモードも、この運転時間が経過すると、除湿運転を停止させる。
【００５３】
以上のようにして、この第２の実施形態では、室内の快適な環境を得るための湿度の切換え設定が可能となるとともに、空気調和機を衣類の乾燥やダニ，カビなどの防止のための室内の乾燥，結露の抑制のための空気の乾燥などの用途に使用することも可能となり、しかも、同じ除湿スイッチ１４を操作するだけで、簡単にこれらモードの選択設定が可能となる。
【００５４】
図９は本発明による空気調和機の第３の実施形態を示す外観図であって、２２は加湿ユニットであり、図１に対応する部分には同一符号を付けている。
【００５５】
同図において、この第３の実施形態は、先の第１または第２の実施形態の空気調和機本体１に、この空気調和機本体１と連動して運転が可能な加湿ユニット２２を組み合わせたものである。加湿ユニット２２は、除湿運転時、空気調和機本体１あるいはリモコン（図示せず）からの指令で動作する。
【００５６】
即ち、例えば、冬場などの非常に乾燥した時期、使用者が除湿スイッチ１４（図１）を押すと、「標準」除湿能力の除湿運転開始モードとなるが、このときの室内湿度は、この「標準」除湿能力の設定湿度よりも低い。このときには、マイコン３（図１）は加湿ユニット２２を動作させて湿度を高めるようにし、これによって湿度が高くなって設定湿度を越えると、加湿ユニット２２を停止させるとともに、圧縮機を回転させて空気調和機本体１が除湿運転を開始する。そして、また、除湿が行なわれて湿度が設定湿度よりも低くなると、加湿ユニット２２が動作を開始して空気調和機本体１の圧縮機が停止し、以下、このようにして、設定湿度が保たれるような除湿運転が行なわれる。「強力」や「おさえめ」の各除湿能力の除湿運転の場合も同様である。
【００５７】
一般に、日本のように、湿潤な気候の地域では、加湿して湿度調節することは少ないと考えられるが、それでも、冬季の太平洋側では、乾燥して低湿度状態になる場合がある。そのような場合、上記のように、空気調和機本体１と加湿ユニット２２との組み合わせは有効である。
【００５８】
この第３の実施形態では、加湿機能を別ユニットに持たせたが、勿論、これを空気調和機本体に組み入れて一体化してもよいし、加湿機能と組み合わせても、図１で示したようなリモコン２による湿度の設定が同様に可能であることはいうまでもない。
【００５９】
図１０は以上の空気調和機本体１での冷凍サイクルの一具体例を示す構成図であって、２３は四方弁、２４は室外側熱交換器、２５は電動膨張弁、２６は室内側熱交換器、２６ａは加熱側、２６ｂは冷却側、２７は除湿用膨張弁、２８は冷媒配管であり、図１に対応する部分には同一符号を付けている。
【００６０】
この具体例は、充分な除湿量を確保するとともに、吹き出し空気の温度調節が可能な冷凍サイクルによる再熱方式としてある。
【００６１】
図１０において、この冷凍サイクルは、圧縮機９や四方弁２３，室外側熱交換器２４，電動膨張弁２５，室内側熱交換器２６が冷媒配管２８で順次連結されている。室内側熱交換器２６は、除湿用膨張弁２７により、冷凍サイクル的に加熱側２６ａと冷却側２６ｂとに２分割されている。
【００６２】
ここで、熱交換器としては、薄いアルミ板を多数枚積層し、このアルミ板に直角に貫通させた銅パイプからなる、いわゆるクロスフィンチューブ型の熱交換器を想定しているが、他の形式の熱交換であっても同様である。電動膨張弁２５と除湿用膨張弁２７は絞り作用の調節が可能な弁であり、次のように動作する。
【００６３】
即ち、冷房あるいは暖房運転時には、除湿用膨張弁２７を全開（絞り作用を起こさせない程度あるいは絞り作用が最小の状態）とし、電動膨張弁２５を冷房あるいは暖房に適切な絞り量とする。このときには、室内側熱交換器２６は冷凍サイクル上１つの蒸発器あるいは凝縮器として作用する。
【００６４】
除湿運転時には、逆に、電動膨張弁２５を全開とし、除湿用膨張弁２７を除湿運転に適切な絞り量とする。冷媒は、室内側熱交換器２６の加熱側２６ａで凝縮されて空気を加熱し、室内側熱交換器２６の冷却側２６ｂで蒸発して空気を冷却する。これにより、除湿が行なわれる。そして、これら２つの空気が混合されて室内に送り出されることにより、室内の温度と湿度とが調節される。この場合の除湿量や吹き出し空気温度の調節は、圧縮機９の回転数や室外側ファン（図示せず）の回転数，室内側ファンの回転数，除湿用膨張弁２７の絞り具合などにより行なうことができる。
【００６５】
【発明の効果】
以上説明したように、本発明によると、室内温度とともに、室内湿度も使用者の好みや室内の状況，電力消費の低減の必要性などに応じたものとすることができ、室内の状況がいかなるものであっても、快適な室内環境を得ることを可能とするし、また、長時間連続使用などでは、快適性を損なわずに、消費電力の低減効果を得ることができる除湿運転も可能となる。
【００６６】
かかる室内湿度の切換えも、１つの操作手段の操作で可能であり、しかも、この操作手段の最初の操作で所定の設定湿度が設定され、この操作手段の操作毎に、所定の設定湿度からこの所定の設定湿度よりも低い設定湿度，この所定の設定湿度よりも高い設定湿度の順でサイクリックに設定湿度が切り替えられるものであるから、使用者の好みに応じた室内環境を簡単に得るようにすることができる。
【図面の簡単な説明】
【図１】本発明による空気調和機の第１の実施形態とその操作装置とを示す構成図である。
【図２】図１におけるリモコンの操作部及び表示部が設けられた前面部を示す外観図である。
【図３】図１に示した実施形態の除湿運転のための動作を示すフローチャートである。
【図４】図３に示した除湿動作における図２に示したリモコンの表示部での表示例を示す図である。
【図５】除湿運転と冷房運転での室内の温度分布を示す図である。
【図６】本発明による空気調和機の第２の実施形態での除湿運転の各モードとその切り換わり順序を示す図である。
【図７】図６に示した用途に関する各モードの内容を示す図である。
【図８】図６に示した用途に関する各モードの運転条件を示す図である。
【図９】本発明による空気調和機の他の実施形態を示す外観図である。
【図１０】本発明による空気調和機での冷凍サイクルの一具体例を示す構成図である。
【符号の説明】
１  空気調和機本体
２  リモコン
３  マイコン
４  受信回路
５  室温検出器
６  湿度検出器
７  室内ファンモータ
８  室外ファンモータ
９  圧縮機
１０  ＣＰＵ
１１  記憶部
１２  電源
１３  マイコン
１４  除湿ボタン
１５  運転／停止ボタン
１６  タイマボタン
１７  表示部
１８  送信回路
１９  電池
２０  ＣＰＵ
２１  記憶部
２２  加湿ユニット
２３  四方弁
２４  室外側熱交換器
２５  電動膨張弁
２６  室内側熱交換器
２６ａ  室内側熱交換器の加熱側
２６ｂ  室内側熱交換器の冷却側
２７  除湿用膨張弁
２８  冷媒配管
【図１】
0003801268.tif 000002
【図２】
0003801268.tif 000003
【図３】
0003801268.tif 000004
【図４】
0003801268.tif 000005
【図５】
0003801268.tif 000006
【図６】
0003801268.tif 000007
【図７】
0003801268.tif 000008
【図８】
0003801268.tif 000009
【図９】
0003801268.tif 000010
【図１０】
0003801268.tif 000011